(57)【特許請求の範囲】
【請求項１】
取り付け板を含み、前記取り付け板の前側には回転可能な検査箱が取り付けられ、前記検査箱の中には前方に開口した検査空間が設けられ、前記検査空間の前部開口には閉鎖機構が設けられ、前記検査空間の左右壁には回転可能な回転軸が位置的に対称に設けられ、前記回転軸の一端には挟み部品が固定的に設けられ、鋼索を前記挟み部品の間に取り付け、左右の前記回転軸の回転により前記鋼索をねじり、前記検査箱の中には前記検査空間の上側に位置する添加空間が設けられ、前記添加空間が前記検査空間と連通しており、前記添加空間と前記検査空間の連通部分には自動制御弁が設けられ、前記添加空間の頂壁には添加弁が設けられ、前記添加弁を介して前記添加空間の中に油を溶解できる溶剤を添加でき、前記検査空間が下方に開口しており、前記検査空間の下部開口には排水弁が取り付けられ、前記検査箱の下端には排水管が固定的に設けられ、前記取り付け板の前端面には計量バケツが左右に移動可能に設けられ、前記計量バケツの中には上方に開口した貯蔵空間が設けられ、前記貯蔵空間の中には計量板が設けられ、前記計量板の下側には計量機構が設けられ、前記添加空間の中の溶液が前記検査空間の中に入って油を溶解し、前記計量バケツが前記排水管の下側まで移動し、前記排水弁が開き、溶液が前記貯蔵空間の中に入った後、前記計量機構が溶液の重さを量り、溶液の前後の重さを比較することによって前記鋼索の油含有率を検知することを特徴とする起重機用鋼索の油含有量検知設備。
【請求項２】
前記検査箱の中には前記検査空間の後側に位置する伝動空間が設けられ、前記回転軸の一端が前記伝動空間の中に延びており、前記伝動空間の右壁には旋転モーターが固定的に設けられ、前記旋転モーターの左側の動力軸が右側の前記回転軸と固定的に連結され、前記動力軸には駆動歯車が固定的に設けられ、前記伝動空間の右壁には旋転軸が回転できるように設けられ、前記旋転軸には前記駆動歯車と噛合した旋転歯車が固定的に設けられ、前記伝動空間の左右壁の間には前記旋転軸の後側に位置する伝動軸が回転できるように設けられ、前記伝動軸と前記旋転軸が第一プーリーにより伝動できるように連結され、前記伝動空間の左壁には左側の前記回転軸と固定的に連結された取り付け軸が回転できるように設けられ、前記取り付け軸と前記伝動軸が第二プーリーにより伝動できるように連結されていることを特徴とする請求項１に記載の起重機用鋼索の油含有量検知設備。
【請求項３】
前記取り付け板の前端面には運動溝が形成され、前記運動溝の中には伝動スライドブロックがスライドできるように設けられ、前記運動溝の底壁にはリニアアクチュエータが固定的に設けられ、前記リニアアクチュエータの上側の押し棒が前記伝動スライドブロックと固定的に連結され、前記伝動スライドブロックの前端面には電動ガイドレールが固定的に設けられ、前記計量バケツが取り外し可能に前記電動ガイドレールの前側のスライドブロックに取り付けられていることを特徴とする請求項１に記載の起重機用鋼索の油含有量検知設備。
【請求項４】
前記取り付け板の前端面には検査結果を表示できるディスプレイが固定的に設けられていることを特徴とする請求項１に記載の起重機用鋼索の油含有量検知設備。
【請求項５】
前記取り付け板の下端にはベースが固定的に設けられていることを特徴とする請求項１に記載の起重機用鋼索の油含有量検知設備。
【請求項６】
前記貯蔵空間の内壁には透明のガラス板が固定的に設けられ、前記ガラス板には目盛りがあることを特徴とする請求項１に記載の起重機用鋼索の油含有量検知設備。
【請求項７】
前記閉鎖機構はねじ穴を含み、前記ねじ穴が前記検査箱の中に位置的に左右対称に設けられ、前記検査箱の前側には前記検査空間を閉鎖する閉鎖板が取り付けられ、ボルトを前記ねじ穴の中にねじり込むことによって前記閉鎖板を固定することを特徴とする請求項１に記載の起重機用鋼索の油含有量検知設備。
【請求項８】
前記検査空間の内壁には加熱板が設けられていることを特徴とする請求項１に記載の起重機用鋼索の油含有量検知設備。
【請求項９】
前記取り付け板の前端面には振動モーターが固定的に設けられ、前記振動モーターの前側には振動板が固定的に設けられ、前記振動板の前端面には回転モーターが固定的に設けられ、前記回転モーターの前側にはモーター軸が伝動できるように連結され、前記モーター軸が前記検査箱の後端面と固定的に連結されていることを特徴とする請求項１に記載の起重機用鋼索の油含有量検知設備。
【発明の詳細な説明】
【技術分野】
【０００１】
本願発明は鋼索検査分野を取り上げて、具体的には起重機用鋼索の油含有量検知設備である。
【背景技術】
【０００２】
鋼索とは、鋼線を何本もより合わせて作った綱である。鋼索は軽くて強度が高く、作業が安定で、折れにくく、起重機の重要な部分になっている。鋼索の表面の摩耗を減らし、酸化速度を遅くするために、鋼索を作るときにグリースを塗る必要がある。鋼索の油含有量は鋼索の使用寿命に大きく影響するため、製造や販売において鋼索の油含有量を素早く検知できる設備が必要とされる。したがって、上記の問題を解決するために、本願発明を設計した。
【先行技術文献】
【特許文献】
【０００３】
【特許文献１】中国特許出願公開第１０５８９１４１８号明細書
【発明の概要】
【発明が解決しようとする課題】
【０００４】
本願発明の目的は起重機用鋼索の油含有量検知設備を提供し、それは上記の現在の技術中の問題を解決できる。
【課題を解決するための手段】
【０００５】
上記の課題を解決するため、本願発明は以下の技術プランを採用する：本願発明である起重機用鋼索の油含有量検知設備は、取り付け板を含み、前記取り付け板の前側には回転可能な検査箱が取り付けられ、前記検査箱の中には前方に開口した検査空間が設けられ、前記検査空間の前部開口には閉鎖機構が設けられ、前記検査空間の左右壁には回転可能な回転軸が位置的に対称に設けられ、前記回転軸の一端には挟み部品が固定的に設けられ、鋼索を前記挟み部品の間に取り付け、左右の前記回転軸の回転により前記鋼索をねじり、前記検査箱の中には前記検査空間の上側に位置する添加空間が設けられ、前記添加空間が前記検査空間と連通しており、前記添加空間と前記検査空間の連通部分には自動制御弁が設けられ、前記添加空間の頂壁には添加弁が設けられ、前記添加弁を介して前記添加空間の中に油を溶解できる溶剤を添加でき、前記検査空間が下方に開口しており、前記検査空間の下部開口には排水弁が取り付けられ、前記検査箱の下端には排水管が固定的に設けられ、前記取り付け板の前端面には計量バケツが左右に移動可能に設けられ、前記計量バケツの中には上方に開口した貯蔵空間が設けられ、前記貯蔵空間の中には計量板が設けられ、前記計量板の下側には計量機構が設けられ、前記添加空間の中の溶液が前記検査空間の中に入って油を溶解し、前記計量バケツが前記排水管の下側まで移動し、前記排水弁が開き、溶液が前記貯蔵空間の中に入った後、前記計量機構が溶液の重さを量り、溶液の前後の重さを比較することによって前記鋼索の油含有率を検知する。
【０００６】
更の技術プラン、前記検査箱の中には前記検査空間の後側に位置する伝動空間が設けられ、前記回転軸の一端が前記伝動空間の中に延びており、前記伝動空間の右壁には旋転モーターが固定的に設けられ、前記旋転モーターの左側の動力軸が右側の前記回転軸と固定的に連結され、前記動力軸には駆動歯車が固定的に設けられ、前記伝動空間の右壁には旋転軸が回転できるように設けられ、前記旋転軸には前記駆動歯車と噛合した旋転歯車が固定的に設けられ、前記伝動空間の左右壁の間には前記旋転軸の後側に位置する伝動軸が回転できるように設けられ、前記伝動軸と前記旋転軸が第一プーリーにより伝動できるように連結され、前記伝動空間の左壁には左側の前記回転軸と固定的に連結された取り付け軸が回転できるように設けられ、前記取り付け軸と前記伝動軸が第二プーリーにより伝動できるように連結されている。
【０００７】
更の技術プラン、前記取り付け板の前端面には運動溝が形成され、前記運動溝の中には伝動スライドブロックがスライドできるように設けられ、前記運動溝の底壁にはリニアアクチュエータが固定的に設けられ、前記リニアアクチュエータの上側の押し棒が前記伝動スライドブロックと固定的に連結され、前記伝動スライドブロックの前端面には電動ガイドレールが固定的に設けられ、前記計量バケツが取り外し可能に前記電動ガイドレールの前側のスライドブロックに取り付けられている。
【０００８】
更の技術プラン、前記取り付け板の前端面には検査結果を表示できるディスプレイが固定的に設けられている。
【０００９】
更の技術プラン、前記取り付け板の下端にはベースが固定的に設けられている。
【００１０】
更の技術プラン、前記貯蔵空間の内壁には透明のガラス板が固定的に設けられ、前記ガラス板には目盛りがある。
【００１１】
更の技術プラン、前記閉鎖機構はねじ穴を含み、前記ねじ穴が前記検査箱の中に位置的に左右対称に設けられ、前記検査箱の前側には前記検査空間を閉鎖する閉鎖板が取り付けられ、ボルトを前記ねじ穴の中にねじり込むことによって前記閉鎖板を固定する。
【００１２】
更の技術プラン、前記検査空間の内壁には加熱板が設けられている。
【００１３】
更の技術プラン、前記取り付け板の前端面には振動モーターが固定的に設けられ、前記振動モーターの前側には振動板が固定的に設けられ、前記振動板の前端面には回転モーターが固定的に設けられ、前記回転モーターの前側にはモーター軸が伝動できるように連結され、前記モーター軸が前記検査箱の後端面と固定的に連結されている。
【発明の効果】
【００１４】
鋼索のサンプルの一部を挟んだ後、挟み部品の回転により鋼索をねじって緩くすることで、鋼索の中の鋼線の間の隙間が大きくなり、そして溶剤で鋼索の中の油を溶解し、溶剤に対して体積と重量の検査を行うことで、鋼索の油含有率が得られ、本願発明は、人力検査より効率が良く、市販されていない新たなものである。
【図面の簡単な説明】
【００１５】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の全体構成略図
【図２】図２は本願発明の使用時の構成略図
【図３】図３は図１の断面構成略図
【図４】図４は図１のＡ―Ａの構成略図
【発明を実施するための形態】
【００１７】
図１〜４を参照し、本願発明である起重機用鋼索の油含有量検知設備は、取り付け板１４を含み、前記取り付け板１４の前側には回転可能な検査箱１７が取り付けられ、前記検査箱１７の中には前方に開口した検査空間５４が設けられ、前記検査空間５４の前部開口には閉鎖機構６０が設けられ、前記検査空間５４の左右壁には回転可能な回転軸３８が位置的に対称に設けられ、前記回転軸３８の一端には挟み部品４５が固定的に設けられ、鋼索４６を前記挟み部品４５の間に取り付け、左右の前記回転軸３８の回転により前記鋼索４６をねじり、前記検査箱１７の中には前記検査空間５４の上側に位置する添加空間３７が設けられ、前記添加空間３７が前記検査空間５４と連通しており、前記添加空間３７と前記検査空間５４の連通部分には自動制御弁３５が設けられ、前記添加空間３７の頂壁には添加弁３６が設けられ、前記添加弁３６を介して前記添加空間３７の中に油を溶解できる溶剤を添加でき、前記検査空間５４が下方に開口しており、前記検査空間５４の下部開口には排水弁４４が取り付けられ、前記検査箱１７の下端には排水管２０が固定的に設けられ、前記取り付け板１４の前端面には計量バケツ２４が左右に移動可能に設けられ、前記計量バケツ２４の中には上方に開口した貯蔵空間２７が設けられ、前記貯蔵空間２７の中には計量板５５が設けられ、前記計量板５５の下側には計量機構２６が設けられ、前記添加空間３７の中の溶液が前記検査空間５４の中に入って油を溶解し、前記計量バケツ２４が前記排水管２０の下側まで移動し、前記排水弁４４が開き、溶液が前記貯蔵空間２７の中に入った後、前記計量機構２６が溶液の重さを量り、溶液の前後の重さを比較することによって前記鋼索４６の油含有率を検知する。
【００１８】
有益に、前記検査箱１７の中には前記検査空間５４の後側に位置する伝動空間３９が設けられ、前記回転軸３８の一端が前記伝動空間３９の中に延びており、前記伝動空間３９の右壁には旋転モーター３１が固定的に設けられ、前記旋転モーター３１の左側の動力軸３２が右側の前記回転軸３８と固定的に連結され、前記動力軸３２には駆動歯車３３が固定的に設けられ、前記伝動空間３９の右壁には旋転軸３０が回転できるように設けられ、前記旋転軸３０には前記駆動歯車３３と噛合した旋転歯車２８が固定的に設けられ、前記伝動空間３９の左右壁の間には前記旋転軸３０の後側に位置する伝動軸４２が回転できるように設けられ、前記伝動軸４２と前記旋転軸３０が第一プーリー２９により伝動できるように連結され、前記伝動空間３９の左壁には左側の前記回転軸３８と固定的に連結された取り付け軸４１が回転できるように設けられ、前記取り付け軸４１と前記伝動軸４２が第二プーリー４０により伝動できるように連結されている。
【００１９】
有益に、前記取り付け板１４の前端面には運動溝２１が形成され、前記運動溝２１の中には伝動スライドブロック２３がスライドできるように設けられ、前記運動溝２１の底壁にはリニアアクチュエータ２２が固定的に設けられ、前記リニアアクチュエータ２２の上側の押し棒が前記伝動スライドブロック２３と固定的に連結され、前記伝動スライドブロック２３の前端面には電動ガイドレール１２が固定的に設けられ、前記計量バケツ２４が取り外し可能に前記電動ガイドレール１２の前側のスライドブロックに取り付けられている。
【００２０】
有益に、前記取り付け板１４の前端面には検査結果を表示できるディスプレイ１１が固定的に設けられている。
【００２１】
有益に、前記取り付け板１４の下端にはベース１０が固定的に設けられている。
【００２２】
有益に、前記貯蔵空間２７の内壁には透明のガラス板２５が固定的に設けられ、前記ガラス板２５には目盛りがある。
【００２３】
有益に、前記閉鎖機構６０はねじ穴３４を含み、前記ねじ穴３４が前記検査箱１７の中に位置的に左右対称に設けられ、前記検査箱１７の前側には前記検査空間５４を閉鎖する閉鎖板１３が取り付けられ、ボルト１６を前記ねじ穴３４の中にねじり込むことによって前記閉鎖板１３を固定する。
【００２４】
有益に、前記検査空間５４の内壁には加熱板４３が設けられている。
【００２５】
有益に、前記取り付け板１４の前端面には振動モーター５３が固定的に設けられ、前記振動モーター５３の前側には振動板５１が固定的に設けられ、前記振動板５１の前端面には回転モーター５２が固定的に設けられ、前記回転モーター５２の前側にはモーター軸５０が伝動できるように連結され、前記モーター軸５０が前記検査箱１７の後端面と固定的に連結されている。
【００２６】
作業手順は以下の通り：
添加弁３６によって添加空間３７の中に定量の溶剤を入れ、ボルト１６を回転させ、閉鎖板１３を取り外して検査空間５４を開け、鋼索４６を挟み部品４５の間に挟み、閉鎖板１３で検査空間５４を閉鎖し、
旋転モーター３１を起動することで動力軸３２を回転させ、動力軸３２が右側の回転軸３８を回転させ、動力軸３２が駆動歯車３３と旋転歯車２８と旋転軸３０と第一プーリー２９によって伝動軸４２を回転させ、伝動軸４２が第二プーリー４０によって取り付け軸４１を回転させ、取り付け軸４１が左側の回転軸３８を回転させ、これで左側の挟み部品４５と右側の挟み部品４５との回転方向が逆になり、鋼索４６をねじることで鋼索４６の中の鋼線の間の隙間を大きくし、
旋転モーター３１が止まり、自動制御弁３５が開き、添加空間３７の中の溶剤が検査空間５４の中に入り、溶剤が完全に検査空間５４の中に入った後、自動制御弁３５が閉まり、回転モーター５２を起動し、モーター軸５０が検査箱１７を回転させ、振動モーター５３が作動し、振動板５１が検査箱１７を振動させ、これで鋼索４６にある油が素早く溶剤に溶解され、
加熱板４３を起動することで検査空間５４の中の溶液を加熱し、溶解を加速させることができ、
油が完全に溶剤に溶解された後、回転モーター５２が止まることによって検査箱１７が回転しなくなり、振動モーター５３が引き続き作動し検査箱１７を振動させ、電動ガイドレール１２が作動し計量バケツ２４を左方へ移動させ、リニアアクチュエータ２２が作動し伝動スライドブロック２３に伝動ガイドレール１２を上方へ移動させ、電動ガイドレール１２が計量バケツ２４を上方へ移動させ、排水管２０を貯蔵空間２７の中に挿入し、排水弁４４が開き、検査空間５４の中の溶液が貯蔵空間２７の中に流れ込み、検査箱１７の振動によって検査空間５４の中の溶液を十分に貯蔵空間２７の中に流し、溶液が全部貯蔵空間２７の中に入った後、計量機構２６が溶液の重さを量り、溶液の前後の重さを比べれば、溶液の中の溶解された油の重さが得られ、検査の結果はディスプレイ１１に表示される。
【００２７】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本願発明は起重機用鋼索の油含有量検知設備を開示した。
【解決手段】
主に取り付け板を含み、前記取り付け板の前側には回転可能な検査箱が取り付けられ、前記検査箱の中には前方に開口した検査空間が設けられ、前記検査空間の前部開口には閉鎖機構が設けられ、前記検査空間の左右壁には回転可能な回転軸が位置的に対称に設けられ、前記回転軸の一端には挟み部品が固定的に設けられ、鋼索を前記挟み部品の間に取り付け、左右の前記回転軸の回転により前記鋼索をねじり、前記検査箱の中には前記検査空間の上側に位置する添加空間が設けられ、前記添加空間が前記検査空間と連通している。
【選択図】図１【図１】
0006859542.tif 000002
【図２】
0006859542.tif 000003
【図３】
0006859542.tif 000004
【図４】
0006859542.tif 000005